(57)【要約】      （修正有）【課題】少なくとも二つのコンデンサを直列に接続するための構造を提供する。【解決手段】コンデンサを直列に接続することは、移植可能な医療装置を販売するような装置メーカーに、如何に多くのコンデンサが装置に組み込まれるか、またどんな構成をコンデンサ組立体がとり得るかということに関して広い融通性を与える。陽極端子導線を連結することによって、隣接コンデンサを直列に接続することができる、スリーブ／接続タブ構造によって、直列接続を可能とし、容量を増す。【選択図】図１
2004214639.tif 000002
【特許請求の範囲】
【請求項１】
ａ）第一のケース内に含まれる電解質によって相互に有効に連携している第一のアノードおよび第一のカソードを有し、前記第一のアノードおよび第一のカソードのうちの一方はその端子としての第一のケースに接続されており、前記第一のアノードおよび第一のカソードのうちの他方は第一のケースの外側にのびていて、それから絶縁された第一の導線からなる第一のコンデンサと、
ｂ）第二のケース内に含まれる電解質によって相互に有効に連携している第二のアノードおよび第二のカソードを有し、第一のケースに接続されたそれとは逆の極性を持つ第二のアノードおよび第二のカソードのうちの一方は第二のケースの外にのびていて、それから絶縁された第二の導線に接続され、前記第二のアノードおよび第二のカソードのうちの他方はその端子としての第二のケースに接続されている第二のコンデンサと、
ｃ）第一のコンデンサの第一の導線から第二のケースにのび、それによって第一および第二のコンデンサを直列に電気的に接続する第一の電気的接続子とからなることを特徴とするコンデンサ組立体。
【請求項２】
電気的接続子が、第二のケースに固定された脚部および第一の導線に固定された腕部を持つ接続タブであることを特徴とする請求項１に記載のコンデンサ組立体。
【請求項３】
接続タブの腕部が、取り巻く関係で第一の導線を受け入れる開口を有するものからなることを特徴とする請求項２に記載のコンデンサ組立体。
【請求項４】
第一の導線が、カラーをもち、接続タブの腕部が、取り巻く関係で第一の導線を受け入れる開口を有するものからなっていて、腕部が、カラーに隣接することを特徴とする請求項２に記載のコンデンサ組立体。
【請求項５】
電気的接続子が、第二のケースからのびる第二の導線からなり、第一の導線および第二の導線のうちの一方が、側壁が導線と接触するように動いたときに、第一および第二の導線のうちの他方と電気的に接続する離れた側壁をもつチャンネル部を支持することを特徴とする請求項１に記載のコンデンサ組立体。
【請求項６】
第一および第二の直列接続されたコンデンサが、その間に接着剤を介して、並置されていることを特徴とする請求項１に記載のコンデンサ組立体。
【請求項７】
第一のケースが、第一および第二のケース部分からなり、第一のケース部分が、第一の周側壁に拡がっている第一の表面壁を有し、第二のケース部分が、第一の側壁を第二の側壁に閉鎖しつつ、第二の周側壁に拡がっている第二の表面壁を有し、第二のケースが、第三および第四のケース部分からなり、第三のケース部分が、第三の周側壁に拡がっている第三の表面壁を有し、第四のケース部分が、第三の側壁を第四の側壁に閉鎖しつつ、第四の周側壁に拡がっている第四の表面壁を有し、第一および第二の直列接続されたコンデンサが、第一の表面壁が第三の表面壁に隣接して並置されるように位置することを特徴とする請求項１に記載のコンデンサ組立体。
【請求項８】
ピンが、第一のアノードおよびケースに接続された第一のカソードのうちの一方のための接続体として第一のケースに固定されることを特徴とする請求項１に記載のコンデンサ組立体。
【請求項９】
第三のコンデンサが、第三のケース内に含まれる電解質によって相互に有効に連携された第三のアノードおよび第三のカソードからなり、第二のケースに接続された第二のアノードおよび第二のカソードのそれとは逆の極性を持つ第三のアノードおよび第三のカソードのうちの一方は、第三のケースの外にのびていて、それから絶縁された第三の導線に接続され、第三のアノードおよび第三のカソードのうちの他方は、その端子としての第三のケースに接続され、第二の電気的接続体は、第二のコンデンサの第二の導線から第三のケースにのびて、それによって第二および第三のコンデンサを直列に電気的に接続することを特徴とする請求項１に記載のコンデンサ組立体。
【請求項１０】
第四のコンデンサが、第四のケース内に含まれる電解質によって相互に有効に連携されている第四のアノードおよび第四のカソードからなり、第三のケースに接続された第三のアノードおよび第三のカソードのそれとは逆の極性を持つ第四のアノードおよび第四のカソードのうちの一方は、第四のケースの外にのび、それから絶縁された第四の導線に接続されていて、第四のアノードおよび第四のカソードのうちの他方は、その端子としての第四のケースに接続され、第三の電気的接続体は、第三のコンデンサの第三の導線から第四のケースにのびて、それによって第三および第四のコンデンサを直列に電気的に接続することを特徴とする請求項９に記載のコンデンサ組立体。
【請求項１１】
ａ）電解質によって相互に有効に連携している第一のアノードおよび第一のカソードを有していて、第一のアノードおよび第一のカソードのうちの一方が、その端子としての第一のケースに接続され、第一のアノードおよび第一のカソードのうちの他方が、第一のケースの外側にのび、それから絶縁された第一の導線からなる第一のコンデンサを供する工程と、
ｂ）第二のケース内に含まれる電解質によって相互に有効に連携している第二のアノードおよび第二のカソードを有していて、第一のケースに接続された第一のアノードおよび第一のカソードのそれとは逆の極性をもつ第二のアノードおよび第二のカソードのうちの一方が、第二のケースの外側にのび、それから絶縁された第二の導線に接続され、第二のアノードおよび第二のカソードのうちの他方が、その端子としての第二のケースに接続されている第二のコンデンサを供する工程と、
ｃ）電気的接続子の第一の端を第一のコンデンサの第一の導線に固定し、電気的接続子の第二の端を第二のケースに固定する工程とからなる、相互に電気的に直列に接続された第一のコンデンサおよび第二のコンデンサを供する方法。
【請求項１２】
第三のケース内に含まれる電解質によって相互に有効に連携している第三のアノードおよび第三のカソードからなる第三のコンデンサを供し、第二のケースに接続された第二のアノードおよび第二のカソードのそれとは逆の極性をもつ第三のアノードおよび第三のカソードのうちの一方を、第三のケースの外側にのび、それから絶縁された第三の導線に接続し、第三のアノードおよび第三のカソードのうちの他方を、その端子としての第三のケースに接続し、さらに第二の電気的接続体を、第二のコンデンサの第二の導線から第三のケースに接続して、それによって第二および第三のコンデンサを電気的に直列に接続することを含む請求項１１に記載の方法。
【請求項１３】
第四のケース内に含まれる電解質によって相互に有効に連携している第四のアノードおよび第四のカソードからなる第四のコンデンサを供し、第三のケースに接続された第三のアノードおよび第三のカソードのそれとは逆の極性をもつ第四のアノードおよび第四のカソードのうちの一方を、第四のケースの外側にのび、それから絶縁された第四の導線に接続し、第四のアノードおよび第四のカソードのうちの他方を、その端子としての第四のケースに接続し、さらに第三の電気的接続体を、第三のコンデンサの第三の導線から第四のケースに接続して、それによって第三および第四のコンデンサを電気的に直列に接続することを含む請求項１１に記載の方法。
【請求項１４】
接続タブの脚部を第二のケースに固定し、接続タブの腕部を第一の導線に固定することを含む請求項１１に記載の方法。
【請求項１５】
取り囲む関係において第一の導線を受け入れる開口を有する接続タブの腕部を供することを含む請求項１４に記載の方法。
【請求項１６】
カラーからなる第一の導線を供し、腕部がカラーと隣接して、取り巻く関係において第一の導線を受け入れる開口を有する接続タブの腕部を供することを含む請求項１４に記載の方法。
【請求項１７】
第一の導線および第二の導線のうちの一方が、離れた側壁を持つチャンネル部を支持している形で、第二のケースからのびる第二の導線からなる電気的接続子を供し、側壁を導線と接触するように動かすことによって、第一および第二の導線のうちの他方にチャンネル部を電気的に接続することを含む請求項１１に記載の方法。
【請求項１８】
第一および第二の直列に接続したコンデンサを、間に接着剤を入れて並置の形で位置させることを含む請求項１１に記載の方法。
【請求項１９】
第一および第二のケース部分からなる第一のケースを供し、第一のケース部分は、第一の周側壁に拡がっている第一の表面壁を有し、第二のケース部分は、第二の周側壁に拡がっていて、第一の側壁を第二の側壁に対して閉鎖する第二の表面壁を有し、第三および第四のケース部分からなる第二のケースを供し、第三のケース部分は、第三の周側壁に拡がっている第三の表面壁を有し、第四のケース部分は、第四の周側壁に拡がっていて、第三の周側壁を第四の周側壁に対して閉鎖する第四の表面壁を有しており、第一および第二のコンデンサをそれらのそれぞれの第一および第三の表面壁が相互に隣接して並ぶように位置させることを含む請求項１１に記載の方法。
【請求項２０】
ケースに接続した第一のアノードおよび第一のカソードのうちの一方のための接続体としてピンを第一のケースに固定することを含む請求項１１に記載の方法。
【発明の詳細な説明】
【技術分野】
【０００１】
この発明は、一般的にコンデンサに関するものであり、特に、直列に接続された少なくとも二つの並置コンデンサの相互接続構造に関するものである。
【背景技術】
【０００２】
人体を助け援助するために医療用途がますます研究され、実行されるにつれて、所望の療法を行うのに必要な装置が、機能的にも、その構造的な構成に関してもどんどん洗練されてきている。現代の移植可能な装置は、寸法がより小さく、それでも医療の要件に合うのに十分な電源を必要とする。例えば、心臓の細動除去器は、例えば心臓の感知およびペーシング機能のような機能を実行する回路に電力を供給する電池をもっている。これは約１マイクロアンペアないし約１００ミリアンペアの電流を要する。時折、心臓の細動除去器は、例えば矯正せずに放置された場合に致死的であり得る不規則で早い心拍である頻拍性不整脈を治療するために、心臓に電気ショックを与える目的で、細動除去器中のコンデンサ部品を充電する間に起こる一般に高速のパルス放電負荷部品を要求することがある。これは約１アンペアないし約４アンペアの電流を要する。
【０００３】
医学における最近の傾向は、効力を落とさずにできるだけ小さくて軽量な心臓の細動除去器、および類似の移植可能な装置を作ることである。これは言い換えれば、これらの装置に含まれるコンデンサは、相互に、また電池や装置の回路部品に接続される仕方に容易に適応できねばならないことを意味する。それに鑑みて、本発明は少なくとも二つのコンデンサを直列に接続して、いかに多くのコンデンサが装置内に組み込まれるか、またどんな構成をコンデンサ組立体がとるかに関して、広い融通性を持った装置の形成を提供する構造に関するものである。
【０００４】
本発明のこの特徴および他の特徴は、下記の説明および添付の図面を参照することによって、当業者にさらに明白となろう。
【発明の開示】
【０００５】
図面を参照して、図１、図５、図６および図８は本発明によって直列に接続された並置コンデンサの種々の実施態様を示す斜視図である。図１ないし図４、図８および図９に示すように、直列接続のコンデンサ組立体の第一の実施態様１０は、第一のコンデンサ１２および並置の第二のコンデンサ１４からなっている。第一のコンデンサ１２は、密閉ケース２０の中に収納された陽極活性材料のアノード１６および陰極活性材料のカソード１８（図４）からなっている。コンデンサの電極は、下記に詳述するように、ケース内に含まれた電解質（図示せず）によって相互に有効に連携している。コンデンサ１２、１４は、アノード電極とカソード電極の両方がそれと接触する容量性の材料をもつ導電性の基板によって構成される電気化学型のものでもよいし、あるいはまた、カソード電極が容量性をもつ導電性の基板で構成される電解質型のものでもよい。図示のコンデンサは、好ましくは後者の型であるが、制限的なものと解釈されるべきではない。
【０００６】
特に、図２、図３、図８および図９に示すように、ケース２０は、咬みあう第一および第二の二枚貝または咬みあうケース部分２２および２４からなる金属材料でできている。ケース部分２２は、表面壁２８にのびる周辺の周側壁２６を有するものからなっている。同様に、ケース部分２４は、表面壁３２にのびる周辺の周側壁３０を有している。第一のケース部分２２の周側壁２６は、密に間隔を置いた関係において第二の周側壁３０の周辺の内側にぴったり合うような寸法にする。これは、第一の表面壁２８が、ケース部分２４の第二の表面壁３２より、平面積において若干小さいことを意味する。また、ケース部分２４の第二の周辺の周側壁３０の高さは、第一の周辺の周側壁２６の高さより低い。周辺の周側壁２６は、ケース部分２２、２４が相互に咬みあうのを容易にする内側に曲がった導入部３４を有している。
【０００７】
第一および第二のケース部分２２、２４においては、第二の周辺の周側壁３０の末端は導入部３４を形成する湾曲部から表面壁２８の方へ短い距離だけ第一の周辺の周側壁２６と接触する。ケース部分２２、２４は、周側壁２６、３０をこの接触位置で溶接することによって相互に密封される。溶接はどんな従来法で行ってもよいが、好ましい方法はレーザ溶接である。
【０００８】
陽極活性材料は、典型的にはペレット状のタンタル、アルミニウム、チタン、ニオブ、ジルコニウム、ハフニウム、タングステン、モリブデン、バナジウム、ケイ素、ゲルマニウム、およびそれらの混合物からなる群から選ばれた金属でできたものである。当業者に公知のように、粉末状の陽極金属、例えばタンタル粉末は、その中に埋め込まれ、それからのびるアノード電線３６をもつペレットに圧縮され、高温で真空下において焼結される。この多孔体はつぎに適当な電解質の中で陽極処理して、その孔を電解質で埋め、焼結体上に連続した誘電酸化物膜を形成する。この部品はつぎに所望の電圧に矯正して、焼結体および陽極伝染の上に酸化物層を作る。アノードは、エッチングしたアルミニウムまたはチタンの箔でできたものでもよい。
【０００９】
カソード電極は、ケース内に収納されたアノード電極から離れており、陰極活性材料１８からなっている。陰極活性材料は、表面壁２８、３２の内面上に直接塗布された約数百オングストロームないし約０．１ミリメートルの厚さをもつか（図２ないし図４）、表面壁の内面に電気的に接触して導電性の基板上に塗布される（図示せず）。その点において、表面壁２８、３２は陽極処理され、エッチングされた導電性の材料でもよく、それと接触する酸化物であり、またはなしの焼結された活性材料をもち、二重層の容量性材料、例えば、グラファイトまたは炭素のような微粉にした炭素系材料または白金黒、酸化還元、擬似容量性または不足電位材料またはポリアニリン、ポリピロール、ポリチオフェンおよびポリアセチレンおよびそれらの混合物のような電気活性導電性ポリマーと接触される。
【００１０】
本発明の一つの好ましい態様によれば、酸化還元または陰極活性材料１８には、第一の金属の酸化物、第一の金属の窒化物、第一の金属の炭素窒化物、および／または第一の金属の炭化物、擬似容量性を持つ第一の金属の酸化物、窒化物、炭素窒化物および炭化物が含まれる。第一の金属は、好ましくはルテニウム、コバルト、マンガン、モリブデン、タングステン、タンタル、鉄、ニオビウム、イリジウム、チタン、ジルコニウム、ハフニウム、ロジウム、バナジウム、オスミウム、パラジウム、白金、ニッケルおよび鉛からなる群から選ばれる。
【００１１】
陰極活性材料１８は、第二のまたはそれ以上の金属を含んでもよい。第二の金属は、酸化物、窒化物、炭素窒化物または炭化物の形であり、コンデンサ電極などとして導電性の表面壁２８、３２の意図された使用に必須のものではない。第二の金属は、第一の金属と異なっており、タンタル、チタン、ニッケル、イリジウム、白金、パラジウム、金、銀、コバルト、モリブデン、ルテニウム、マンガン、タングステン、鉄、ジルコニウム、ハフニウム、ロジウム、バナジウム、オスミウム、およびニオブからなる一つ以上の群から選ばれる。本発明の好ましい実施態様においては、陰極活性材料１８には、ルテニウムの酸化物またはルテニウムおよびタンタルの酸化物が含まれる。
【００１２】
咬みあうケース部分２２、２４および提供される場合の電気的に接続された導電性基板は、好ましくはタンタル、チタン、ニッケル、モリブデン、ニオブ、コバルト、ステンレススティール、タングステン、白金、パラジウム、金、銀、銅、クロム、バナジウム、アルミニウム、ジルコニウム、ハフニウム、亜鉛、鉄、およびそれらの混合物および合金からなる群から選ばれる。好ましくは、ケース部分の表面壁および周側壁は約０．００１ないし約２ミリメートルの厚さをもつものからなっている。
【００１３】
図１ないし図４、図８および図９に示す例示的な電解質型のコンデンサは、それぞれの周側壁２６、３０から離れた表面壁２８、３２を好ましくは覆う陰極活性材料１８をもつ。そのような被覆は、表面壁の意図された範囲だけが活性材料と接触するように公知の方法で、被覆材料をもつ導電性の表面壁２８、３２を提供することによって達成される。被覆材料は、コンデンサの製造の前に表面壁から除去される。好ましくは、陰極活性材料１８は、陽極活性材料１６の主表面に対して向かい合った関係で本質的に一列に並ぶ。
【００１４】
好ましい被覆法は、全てシャーらの米国特許第５，８９４，４０３号、第５，９２０，４５５号、第６，２２４，９８５号および第６，４６８，６０５号に記載されたような超音波で形成されたエアロゾルの形である。これらの特許は、本発明の譲受人に譲渡され、ここに参考として添付される。その方法で、導電性表面に接触する超音波で形成された活性材料は、約１０ミクロン未満の直径をもつその粒子の大部分を有するものである。これは、約１０ｍ２／グラム〜約１，５００ｍ２／グラムの活性材料の内部表面積を与える。
【００１５】
電気絶縁性材料の隔離板（図示せず）が、陽極活性材料１６と陰極活性材料１８の間に提供されており、それらの間の内部電気短絡回路を防止する。隔離板（セパレータ）の材料は、陽極および陰極活性材料と化学的に反応性がなく、電解質と化学的に反応性がなく、それに不溶である。
【００１６】
さらに、隔離板の材料は、コンデンサ１２の電気化学的反応の間において電解質の貫流を許すのに十分な或る程度の多孔性をもつ。例示的な隔離板の材料には、ポリオレフィン系またはフッ素ポリマー系の微細孔フィルム、不織ガラス、ガラス繊維材料およびセラミック材料で積層または重畳されたポリプロピレンおよびポリエチレンを含むポリオレフィン繊維またはフッ化ポリビニリデン、ポリエチレンテトラフルオロエチレンおよびポリエチレンクロロトリフルオロエチレンを含むフッ素ポリマーの織布および不織布が含まれる。適切な微細孔フィルムには、ソルポール（登録商標）（ＤＭＳソルテック）の名称で市販されているポリエチレン膜、ザイテックス（登録商標）（ケムプラスト・インコーポレーション）の名称で市販されているポリテトラフルオロエチレン膜、セルガード（登録商標）（セラニーズ・プラスチック・カンパニー・インコーポレーション）の名称で市販されているポリプロピレン膜およびデキシグラス（登録商標）（Ｃ．Ｈ．デクスター部門、デクスター・コーポレーション）の名称で市販されている膜が含まれる。典型的にコンデンサに使用されるセルロース系の隔離板も、本発明の範囲によって意図される。使用される電解質によるが、当業者に公知のように、隔離板はその湿潤度を向上させるように処理できる。
【００１７】
コンデンサ１２、１４に適当な電解質は、シャーらの米国特許第６，２１９，２２２号に記載されており、それにはアンモニウム塩を溶かした水およびエチレングリコールの混合溶媒が含まれる。米国公開番号２００３００９０８５７および２００３０１４２４６４は、本発明のコンデンサのための他の電解質を記載している。前者の公開番号の電解質は、水、水溶性の無機および／または有機酸および／または塩、および水溶性のニトロ芳香族化合物から成り、後者は脱イオン水、有機溶媒、イソ酪酸および濃縮アンモニウム塩をもつ電解質に関するものである。これらの公開刊行物および特許は、本発明の譲受人に譲渡されており、ここに参考として添付される。電解質は、当業者に公知のように、密閉体によって閉鎖された充填口３８（図１）を通して密閉ケース内に供給される。
【００１８】
部分２２、２４を含む、導電性の金属でできたケース２０は、コンデンサとその負荷の間の電気的接続を行うための端子として働く。ピン４０（図２、図８および図９）が周側壁２６に溶接されて、第一のコンデンサのための負端子となる。ピン４０はまた、下記に詳細に述べるように、並置コンデンサ部品１０のための負端子にもなる。
【００１９】
第一のコンデンサ１２のための他の電気端子または接点は、陽極活性材料１６からのびる陽極線３６からなっていて、第一の周辺の周側壁２６を通してのびる陽極導線４２に接続される。スリーブ４４が、陽極導線４２の末端部に装着されている。スリーブ４４は、下記に詳述するように、第一のコンデンサ１２を第二のコンデンサ１４に直列に接続するためにある。
【００２０】
図２および図３に示すように、陽極導線４２は、絶縁体ガラス−金属間シール４６によって、金属ケース２０から電気的に絶縁されている。ガラス−金属間シール４６は、一定の内径の内部円筒状通し孔または通路５０の輪郭を決めるはめ輪４８からなる。外側に面した環状の段５２Ａおよび５２Ｂが、それぞれはめ輪の上端と下端に設けられている。上の段５２Ａは、第一のケースの周側壁２６内の環状の開口５４に密に間隔を置いた関係においてぴったり合う寸法の外径をもち、はめ輪の残部は周側壁の内面に隣接する。はめ輪４８は、そこに溶接などで固定される。
【００２１】
図２、図８および図９に示すように、陽極活性材料１６は、ガラス−金属間シール４６のための隙間を与える切込み５６をもつ。陽極線３６は、陽極活性材料１６に埋め込まれ、切込み５６から外側にのびている。末端３６Ａは、はめ輪４８の長軸に対して一般に平行な位置に曲げられる。陽極導線４２の基部端４２Ａは、Ｊ字の鉤形に曲げられて、陽極線３６の末端３６Ａに平行に並ぶ。陽極線の末端３６Ａは、つぎに陽極導線の基部端４２Ａに溶接されて、陽極を導線４２に電気的に接続する。
【００２２】
絶縁ガラス５８は、はめ輪４８と陽極導線４２の間を密封する。このガラスは、例えば、エラン（登録商標）８８型またはマンソール（商標）８８型である。陽極導線４２は、好ましくは、陽極活性材料１６と同じ材料からなっている。この方法において、負荷への接続のためにコンデンサ１２の外側にのびるアノード４２の部分は、コンデンサの内部から密閉されており、カソードのための端子として働く咬みあうケース部分２２、２４から絶縁されている。
【００２３】
図１ないし図４、図８および図９に示す第二のコンデンサ１４は、その機械的構造およびその化学に関して、第一のコンデンサ１２と同様である。しかし、前に述べたように、コンデンサ１２、１４は化学的に類似でなくてもよい。例えば、第一のコンデンサ１２は電解型で、第二のコンデンサ１４は電気化学型であってもよい。好ましくは、コンデンサ１２、１４はどちらも電解型である。
【００２４】
第二のコンデンサ１４は、密閉されたケース６４内に収納され、電解質（図示せず）によって相互に有効に連携している陽極活性材料６０と陰極活性材料６２（図３）からなっている。ケース６４は、コンデンサ１２のケース２０に類似しており、咬みあう第三および第四のケース部分６６および６８からなっている（図１）。ケース部分６６は、表面壁７２にのびる周辺の周側壁７０からなる。同様に、ケース部分６８は表面壁７６にのびる周辺の周側壁７４からなっている。第三のケース部分６６の周側壁７０は、密に間隔を置いた関係において、第四の周側壁７４の周辺の内側にぴったり合うような寸法になっている。第四の周辺の周側壁７４の高さは、第三の周辺の周側壁７０およびその内側に曲がった導入部７８のそれより低い。接触する周側壁７０、７４のレーザ溶接は、第三および第四の咬みあうケース部分６６、６８を相互に密封する。
【００２５】
陰極活性材料６２は、陽極活性材料６０の主要な面の反対側の表面壁７２、７６の内面上に支持されている。この方法において、導電性の金属でできているケース６４は、コンデンサ１４とその負荷の間に電気的接続を行うための端子として働く。
【００２６】
他の電気端子または接点が、第三の周辺の周側壁７０を通して陽極活性材料６０に接続されたコンデンサ１４内からのびる導体または導線８０によって提供される。陽極活性材料６０は、コンデンサ１２の陽極と構造において類似しており、ガラス−金属間シール８２のための隙間を与える切込みを含む。陽極活性材料６０に埋め込まれた陽極線８４は、切込みから陽極導線８０の基部端に溶接された末端へ外側にのびて、陽極を導線に電気的に接続する。
【００２７】
ガラス−金属間シール８２は、陽極導線８０を金属ケース６４から電気的に絶縁し、第一のケース側壁７０中の環状の開口に密に間隔を置いた関係においてぴったりと合った小さい直径の環状の段のついたはめ輪８６からなっている。残りのはめ輪の本体は、側壁の内面と隣接し、はめ輪８６はそれに溶接で固定される。絶縁ガラス８８は、はめ輪８６の円筒状の内面と陽極導線８０の間を密封する。
【００２８】
電気的に絶縁性でイオン的に導電性の材料の隔離板（図示せず）が、陽極活性材料６０を陰極活性材料６２から隔離する。電解質が、密閉体９０によって閉鎖された充填口を通して密封されたケース６４内に供給される。
【００２９】
こうして構成された第一および第二のコンデンサ１２、１４は、つぎに背中合わせに、または並んで置かれる。この構成において、第一のコンデンサ１２のケース部分２４の表面壁３２は、第二のコンデンサ１４のケース部分６８の表面壁７６に並んで、隣接する。例えば、両面ポリイミド系の接着剤９４（図３）が、ケース部分２４、６８の中間にあって、それらを一緒に固定する。この目的に適切なテープは、Ｅ．Ｉ．デュポン・ド・ヌモアール・アンド・カンパニー・コーポレーションからカプトン（登録商標）という商品名で市販されている。望むならば、コンデンサ１２、１４は並置の状態に並べられる前に、その外面全部に真空蒸着法でパラリエン塗装をする。
【００３０】
コンデンサ１２、１４は、つぎに接続タブ９６で直列に電気的に接続される。接続タブ９６は、第一のコンデンサ１２のための陽極導線４２の隣に、例えば、溶接によってケース部分６８の周辺の周側壁７０に固定された脚部９６Ａをもつ。接続タブの腕部９６Ｂは、取り巻く関係で陽極導線４２の末端に装着されたスリーブ４４を受け入れる開口をもつ。溶接（図示せず）が、陽極導線４２のスリーブ４４へのタブ９６の接続を完了する。
【００３１】
第一のコンデンサ１２の正の極性の陽極導線４２は、つぎに第二のコンデンサ１４の負の極性のケース６４に接続される。直列に接続された並置のコンデンサ１２、１４は、つぎに負荷（図示せず）に接続できる。第一のコンデンサ１２の負の極性の端子ピン４０と第二のコンデンサ１４の正の極性の端子導線８０に装着されたスリーブ８６を接続するとこれができる。
【００３２】
図５は、本発明によって並置のコンデンサ１００および１０２を直列に接続するためのもう一つの実施態様を示す。コンデンサ１００、１０２は、コンデンサ１０２の陽極導線１０６に装着されたカラーつきのスリーブ１０４を除いては、全ての点で前記のコンデンサ１２、１４と同じである。この構造は、特に、図９に示されており、ここではコンデンサ１４のための陽極導線８０に装着されたスリーブ８６（図２）が、カラー付きのスリーブ１０４に変わっている。カラー１０４は、それを陽極導線８０に接続するときに接続タブ１０８の腕部１０８Ａを適切に並べるための止め具として働く。接続タブ１０８の脚は、隣のコンデンサ１２０のケース１１０に接続される。
【００３３】
図６および図７は、本発明によって並置のコンデンサ１２０および１２２を直列に接続するためのもう一つの実施態様を示す。コンデンサ１２０、１２２は、一方の陽極導線１２４を他方のケース１２６に直列に接続する構造を除いては、全ての点で前記のコンデンサ１２、１４と同じである。
【００３４】
コンデンサ１２０の陽極端子導線１２４には、その末端にスリーブ１２８がついている。このスリーブ１２８は、閉鎖端壁１３０Ｃで結合された一対の離れた側壁１３０Ａ、１３０Ｂからなるチャンネル部１３０を支持する。チャンネル部１３０は、端壁１３０Ｃの反対側で開いている。側壁１３０Ａ、１３０Ｂおよび端壁１３０Ｃは、陽極導線１２４のスリーブ１２８をぴったり受け入れる開口１３２のある底部で合体する。スリーブ１２８とチャンネル部１３０は、縁曲げなどによって連結される。別の方法としては、ハンダまたは溶接（図示せず）が連結に使われる。
【００３５】
曲がった端子ピン１３４には、溶接などによってコンデンサ１２２のためのケース１２６の側壁１３８に固定された広がった台座１３６がついている。端子ピン１３４の末端部１３４Ａは、直角に曲がった屈曲部によって形成される。こうして、コンデンサ１２０、１２２が両面接着テープ１４０と接触して、並置の状態になったとき、端子ピン１３４の末端部１３４Ａは、その側壁１３０Ａ、１３０Ｂの間で、チャンネル部１３０に受け入れられる。端子ピン１３４の上にチャンネルの側壁を縁曲げ、ハンダ付けまたは溶接すると、コンデンサ１２０、１２２の連結ができる。
【００３６】
図９は、本発明の一つの実施態様を示し、ここではコンデンサ１２の正の極性の陽極導線４２に装着されたスリーブ４４が接続タブ９６によってコンデンサ１４の負の極性のケース６４に接続されている。コンデンサ１０２の正の極性の導線８０に装着されたカラー付きのスリーブ１０４は、カラーに載っているタブ１０８によってコンデンサ１２０の負の極性のケースに接続される。つぎに、コンデンサ１２０の正の極性の端子導線１２４の上のスリーブ１２８は、チャンネル部１３０内に受け入れられている曲がった端子ピン１３４によって、コンデンサ１２２の負の極性のケース１２６に接続される。末端スリーブ１４４の付いた正の極性の端子導線１４２は、ガラス−金属シール１４６によって、コンデンサ１２２のためのケース１２６から電気的に絶縁される。端子導線１４２およびガラス−金属シール１４４は、前述のそれに類似している。
【００３７】
こうして、本発明により、陽極端子導線を一つから次のケースに連結することによって、隣接のコンデンサを直列に接続することができる。陽極端子導線は、スリーブ４４／接続タブ９６構造、カラー付きスリーブ１０４／接続タブ１０８構造またはスリーブ１２８／チャンネル部１３０構造によって、次のコンデンサのケースに接続できる。こうして、幾数のコンデンサでも直列に接続され、部品の提供できる容量を増すことができる。これは心臓の細動除去器のような進んだ移植可能な医療装置において特に重要であり、ここでは減少した容器の容積と結びついた容量の増加が設計技術者の心を何にも優って占める。
【００３８】
ここに記載した発明の概念の種々の改変は、添付の請求の範囲に定義された本発明の精神と範囲から離れることなく当業者にとって自明であることが評価される。
【図面の簡単な説明】
【００３９】
【図１】本発明による第一の実施態様例であって、直列に接続された二つの並置コンデンサの右縁方向から見た斜視図である。
【図２】図１の線２−２に沿って断面にして示す断面図である。
【図３】図２の指示された範囲を拡大して示す拡大図である。
【図４】図２の線４−４に示す部分を拡大して示す断面図である。
【図５】本発明のもう一つの実施態様によって、直列に接続された二つの並置コンデンサの右縁方向から見た斜視図である。
【図６】本発明のさらにもう一つの実施態様によって、直列に接続された二つの並置コンデンサの左縁方向から見た斜視図である。
【図７】図６の線７−７で示す部分を断面にして示す断面図である。
【図８】本発明のさらにもう一つの実施態様によって、直列に接続された四つの並置コンデンサの部分分解の斜視図である。
【図９】図８の線９−９に沿って断面にして示す断面図である。
【図１】
2004214639.tif 000003
【図２】
2004214639.tif 000004
【図３】
2004214639.tif 000005
【図４】
2004214639.tif 000006
【図５】
2004214639.tif 000007
【図６】
2004214639.tif 000008
【図７】
2004214639.tif 000009
【図８】
2004214639.tif 000010
【図９】
2004214639.tif 000011
【外国語明細書】
2004214639000001.pdf
2004214639000002.pdf
2004214639000003.pdf
2004214639000004.pdf